(57)【特許請求の範囲】
【請求項１】
細長い喫煙用物品のためのパックであって、
本体部にヒンジ状に接続された蓋部を備え、
蓋部と本体部との両方が各々前方パネル、後方パネル、一対の側方パネルを有しており、
蓋部は本体部から離れた上方パネルを有しており、
本体部は蓋部から離れた底部パネルを有しており、
前記ヒンジ接続は、前記後方蓋部パネルと前記後方本体部パネルとの間の折り畳みによって規定されると共にパックの上方端縁及び底部端縁に略平行であり、
パックの前方は、パック内に配置された裏板部材を現すために切離された部分を有しており、
前記ヒンジ接続は、蓋部の前方の側方端縁の最下点の間で延びる仮想線に略平行であり、
切離部分を規定する端縁の少なくとも幾つかは、パックの内方に折り畳まれる部分を有しており、それによって、裏板部材が、パックの前方の後ろ側でより内方に引込まされるようになっている
ことを特徴とするパック。
【請求項２】
切離部分は、本体部の前方パネルまたは蓋部の前方パネルまたは両方の組み合わせ、に設けられている
ことを特徴とする請求項１に記載のパック。
【請求項３】
蓋部に切離部分が無く、
前記仮想線は、蓋部の前方パネルの最下端縁と一致する
ことを特徴とする請求項２に記載のパック。
【請求項４】
切離部分を規定する端縁の全てが、内方に畳まれる部分を有しており、切離部分によって切離端縁が一切与えられない
ことを特徴とする請求項３に記載のパック。
【請求項５】
前方蓋部パネルの下方端縁は、パックが閉じられる時、切離部分の上方端を形成する
ことを特徴とする請求項１乃至４のいずれかに記載のパック。
【請求項６】
前方蓋部パネルの下方端縁は、前方本体部パネルの上方端縁と当接する
ことを特徴とする請求項５に記載のパック。
【請求項７】
裏板部材は、前方本体部パネルの上方端縁に対して、一体に形成されると共にヒンジ状に接続されている
ことを特徴とする請求項６に記載のパック。
【請求項８】
裏板部材は、Ｚ字状の畳み部を形成する２つの間隔の空いたタブによって、前方本体部パネルの上方端縁に接続されている
ことを特徴とする請求項７に記載のパック。
【請求項９】
切離部分は、前方本体部パネルの上方端縁に接しており、切離部分はその上方端で開放する
ことを特徴とする請求項８に記載のパック。
【請求項１０】
裏板部材は、平行なＺ字状の畳み部を形成する中間タブによって、切離部分の下方端縁に接続されており、
中間タブの長手方向深さは、２つの間隔の空いたタブのそれと略同じである
ことを特徴とする請求項９に記載のパック。
【請求項１１】
切離部分は、切離部分の下方端縁及び前方本体部パネルの上方端縁の各端部の間に延びる一対の横端縁を有しており、切離部分がその横端縁群及びその下方端縁によって規定されている
ことを特徴とする請求項１０に記載のパック。
【請求項１２】
前記横端縁群は、本体部の内方に畳まれる部分を有している
ことを特徴とする請求項１１に記載のパック。
【請求項１３】
切離部分は、全体的に前方本体部パネル内で規定されている
ことを特徴とする請求項１乃至４のいずれかに記載のパック。
【請求項１４】
裏板部材は、各本体部の側方パネルの内方に存在してそこから上方に突出する側方部材にヒンジ接続されている
ことを特徴とする請求項１乃至１３のいずれかに記載のパック。
【請求項１５】
パックの前方の切離部分の後方に存在する裏板部材の一部が、その上に印刷された要素を有する
ことを特徴とする請求項１乃至１４のいずれかに記載のパック。
【発明の詳細な説明】
【０００１】
本発明は、喫煙用物品のためのパックに関している。
【０００２】
本発明によれば、細長い喫煙用物品のためのパックであって、本体部にヒンジ状に接続された蓋部を備え、蓋部と本体部との両方が前方パネル、後方パネル、一対の側方パネルを有しており、蓋部は本体部から離れた上方パネルを有しており、本体部は蓋部から離れた底部パネルを有しており、前記ヒンジ接続は、前記後方蓋部パネルと前記後方本体部パネルとの間の折り畳みによって規定されると共にパックの上方端縁及び底部端縁に略平行であり、パックの前方は、パック内に配置された裏板部材を現すために切離された部分を有しており、前記ヒンジ接続はまた、蓋部の前方の側方端縁の最下点の間で延びる仮想線に略平行である、ことを特徴とするパックが提供される。
【０００３】
切離部分は、本体部の前方パネルまたは蓋部の前方パネルまたは両方の組み合わせ、に設けられ得る。蓋部に切離部分が無い場合、前記仮想線は、蓋部の前方パネルの最下端縁と一致する。多くの実施の形態において、切離部分は、本体部及び／または蓋部の前方パネルによって全ての側で囲まれている。
【０００４】
好ましくは、切離部分を規定する端縁の少なくとも幾つかは、本体部の内方に折り畳まれる部分を有しており、それによって、裏板部材が、本体部の前方パネルの後方でより内方に引込まされるようになっている。さらに好適な配置では、切離部分を規定する端縁の全てが、内方に畳まれる部分を有しており、切離部分によって切離端縁が一切与えられない。
【０００５】
幾つかの配置において、パックが閉じられる時、切離部分の上方端は、前方蓋部パネルの下方端縁によって閉じられる。前方蓋部パネルの下方端縁は、前方本体部パネルの上方端縁と当接する。便利には、裏板部材が、前方本体部パネルの上方端縁に対して、一体に形成されると共にヒンジ状に接続されている。
【０００６】
好適な特徴は、裏板部材が、Ｚ字状の畳み部を形成する２つの間隔の空いたタブによって、前方本体部パネルの上方端縁に接続されていることである。
【０００７】
ある実施の形態において、切離部分は、全体的に前方本体部パネル内で規定されている。他の配置においては、切離部分は、前方本体部パネルの上方端縁に接しており、切離部分はその上方端で開放する。
【０００８】
好適には、裏板部材は、平行なＺ字状の畳み部を形成する中間タブによって、切離部分の下方端縁に接続されている。中間タブの長手方向深さは、２つの間隔の空いたタブのそれと略同じである。また、切離部分は、切離部分の下方端縁及び前方本体部パネルの上方端縁の各端部の間に延びる一対の横端縁を有しており、切離部分がその横端縁群及びその下方端縁によって規定されるようになっている。好適には、前記横端縁群は、本体部の内方に畳まれる部分を有しており、幾つかの場合には、中間タブが、切離部分の下方端縁の横方向幅の全体に延びている。
【０００９】
便利には、裏板部材は、各本体部の側方パネルの内方に存在してそこから上方に突出する側方部材にヒンジ接続されている。理想的には、前方本体部パネルの切離部分の後方に存在する裏板部材の一部が、その上に印刷された成分（ｍａｔｔｅｒ）を有する。
【００１０】
幾つかの実施の形態では、パックの本体部内に内方フレームが設けられている。
【００１１】
幾つかのパックにおいて、隣接する側方、前方及び後方のパネルは、互いに直角に合流する。他には、隣接する側方、前方及び後方のパネルは、長い傾斜パネルや長い外形（ｃｏｎｔｏｕｒｅｄ）パネルのようなサブパネルによって相互接続されている。サブパネルは、多数の平行な長く延びる刻み線を含み得る。
【００１２】
本発明の実施の形態が、詳細に説明される。当該説明は、添付の図面を参照してなされる。
【００１３】
図１は、本発明によるパックの生産のためのブランクを示している。
【００１４】
図２は、閉じた位置での、図１のブランクから形成されたパックの前方斜視図である。
【００１５】
図３は、組立中のパックの一部の斜視図である。
【００１６】
図４は、開放位置での、組み立てられたパックの斜視図である。
【００１７】
図５乃至図８は、第２の実施の形態の、図１乃至図４と同様の図である。
【００１８】
図９は、選択的な内方フレームのためのブランクを示している。
【００１９】
図１０は、図９のブランクから形成される内方フレームの斜視図である。
【００２０】
図１乃至図４は、紙巻きタバコのような多数の細長い喫煙用物品のための、全体に直方体状のパック１０を製造するためのボール紙のブランク５０を示している。図示されたパック１０は、紙巻きタバコの２つの２×５の束１２で２０本の紙巻きタバコ用である。パック１０は、主要本体部１３と、折り畳み線１５によって主要本体部１３にヒンジ状に接続された蓋部１４と、を有している。
【００２１】
蓋部１４は、前方パネル１６と、側方パネル１７、１８と、後方パネル１９と、上方パネル２０と、を有している。パック１０を生産するためのブランク５０において、蓋部１４の部分を形成するが蓋部１４の内方に配置される多数の他のパネル２１が存在する。これらの他のパネル２１は、従来のパック技術から知られており、折り畳まれる最下端縁を蓋部に与える。
【００２２】
主要本体部１３はまた、前方パネル２２と、主要側方パネル２３、２４と、後方パネル２５と、底部パネル２６と、を有している。組立てられたパック１０において、パネル２２乃至２５は、パックが閉じられた位置にある時、蓋部１４の結合されたパネル１６乃至１９に対して実質的に整列状態にある。パック１０の開放は、２つの後方パネル１９、２５を連結する折り畳み線１５回りの、蓋部１４と主要本体部１３との相対的な回転によってなされる。
【００２３】
第２の側方パネル２８、２９を有する内部カラーパネル２７が、２つの間隔の空いた横タブ３０、３１と当該横タブ３０、３１の間に配置された中央中間タブ３２とによって、主要本体部の前方パネル２２に折り畳み可能に接続されている。全３つのタブの高さは同じであるが、中間タブ３２は、前方パネル２２の上方端縁３４より低い折り畳み線３３で、前方パネル２２にヒンジ状に接続されている。上方端縁３４では、横タブ３０、３１がヒンジ状に接続されている。上方の折り畳み線３５、３６、３７は、タブ３０、３１、３２を、それぞれカラーパネル２７に接続している。
【００２４】
中間タブ３２の両端部は、４０、４１で主要本体部１３の前方パネル２２にヒンジ状に接続されたサブパネル３９、３９に備えるために、折り畳み線３３に向かって内方に角度付けられている。
【００２５】
内方フレーム６０が、最終パックにおいて紙巻きタバコの２つの束１２を支持するために設けられ得る。フレームの例が、図１０に図示されている。フレーム６０は、図９に示されたブランク６１から形成されている。ブランク６１は、ボール紙から形成され、当該ブランクが折り畳まれてフレーム６０の二重チャネル部を形成することを可能にする多数の折り目６２を有している。
【００２６】
パック１０を組み立てるため、サブパネル３８、３９が、畳み部４０、４１回りに１８０°だけ内方に畳まれて、前方パネルの内側に当接する。カラーパネル２７とその第２側方パネル２８、２９は、タブ３０、３１、３２、上方折り畳み線３５、３６、３７、上方端縁３４及び折り畳み線３３によって生成されるＺ字状折り畳み部によって、前方パネル２２の内方に畳まれる。カラーパネル２７は、従って、前方パネル２２の内側に対して、中間タブ３２を挟み、横タブ３０、３１は、前方パネル２２の内側に対して、サブパネル３８、３９を挟む。
【００２７】
パックパネルは、その後、折り畳まれ得て、紙巻きタバコの束１２の周りで、多数の従来方法の１つで接着され得る。
【００２８】
前方パネル２２に対するカラーパネル２７のＺ字状の折り畳み及びサブパネル３８、３９の折り畳み戻りが、「窓」４２の形成をもたらすことが認められる。この「窓」は、カラーパネル２７によって裏打ちされ、蓋部１４の前方パネル１６の下方端縁によって、その上方端縁で効果的に閉じられる。この窓は、全ての側でパックの前方パネルによって囲まれている。窓４２の３つの側方を規定する折り畳み端縁と蓋部の折り畳み下方端縁の存在は、窓を通してカラーパネル２７を見る時、へこんだ特性を与える。カラーパネル２７は、言葉、ロゴ、他のグラフィクス等の、その上に印刷された要素（ｍａｔｔｅｒ）を有し得る。この印刷は、パックの主要パネルの印刷と同時になされ得る。これによって、要求される時のカラーマッチ（同一）が保証され、印刷要素の窓内での正確な位置が保証される。
【００２９】
窓４２の大きさと形状は、勿論、適当な変化をタブ高さ、幅、位置になすことによって、変更され得る。もっとも、折り畳まれる端縁については、直線状の端縁のみが可能であることも認められる。また、ブランクが適当な位置でのより多いタブと共に作られるなら、１より多い窓４２が設けられ得る。他のブランク形態もまた可能である。例えば、サブパネル３８、３９は、横方向により短く、それらがタブ３０、３１の下方に延びないこともあり得る。このことは、結果として、組み立てられたパックの当該部分の厚みの低減をもたらす。
【００３０】
図５乃至図８に示された別の実施の形態では、同様の部分に同様の参照符号が与えられている。当該別の実施の形態では、窓４２が、主要本体部の前方パネル２２内に完全に規定されており、内方に１８０°だけ畳まれて凹部に深さを与えると共に窓に一切の切離端縁が無いことを保証する４つのサブパネル４３を有している。この構成では、２つの横タブ３０、３１の間の中間タブ３２が、前方パネル２２に取り付けられておらず、タブ３０、３１、３２が、延長された高さであって、カラーパネル２７が畳まれた時に窓４２の後方の空間を覆うように下方に達する。
【００３１】
さらに、窓４２は任意の選択された形状または大きさであり得て、カラーマッチ及び正確な位置が、窓を通して可視であるカラーパネル２７の裏板部分で保証され得る。窓は、それらの畳まれた姿（ｎａｔｕｒｅ）のために直線状の端縁を有している。
【００３２】
また、簡単な配置が、サブパネル３８、３９、４３の幾つかまたは全てを省略することによって、形成され得る。この時、窓４２の深さ及び端縁の性質における結果としての変化がある。畳み部３３は、窓の下方端縁をさらに修正するために切除部とされ得る。この態様では、中間タブ３２の運動が、依然として窓をもたらすが、下方端縁は、畳まれたものでは無く、切られたものである。端縁が畳まれない箇所では、それらは曲げられ得る。
【００３３】
また、内部カラーパネル２７とブランクの残り部分との間のヒンジ接続を省略することによって、窓を有するパックを生産することも可能である。内部カラーパネルは、紙巻きタバコの束１２と前方パネル２２との間の挿入物として設けられ得る。窓４２の端縁には、畳まれた端縁が依然として設けられ得る、あるいは、畳まれた端縁無しとなる、あるいは、ほんの幾つかの畳まれた端縁のみが設けられ得る。畳まれた端縁は、依然として、これらの実施の形態における直線状の端縁のみであり得る。このようなパックの組立体は、より容易であるが、窓におけるカラーマッチ及び正確な位置決めは保証され無い。このようなパックは、しかしながら、全幅の窓が製造されることを可能にする。
【００３４】
さらに、主要パネル間の接合は、直角で示されているが、他の形態もあり得る。例えば、丸められた接合や傾斜した接合も可能である。他の紙巻きタバコパック形態、例えば３列２０パック、１０パック、３列２５パックなどは、本発明を組み入れ得る。
【００３５】
ブランクに対する好適な変化によって、窓は本体部の代わりに蓋部に設けられ得るし、蓋部の部分及び本体部の部分に設けられ得る、ということが明らかである。
【図面の簡単な説明】
【図１】本発明によるパックの生産のためのブランクを示している。
【図２】閉じた位置での、図１のブランクから形成されたパックの前方斜視図である。
【図３】組立中のパックの一部の斜視図である。
【図４】開放位置での、組み立てられたパックの斜視図である。
【図５】第２の実施の形態のパックの生産のためのブランクを示している。
【図６】閉じた位置での、図５のブランクから形成されたパックの前方斜視図である。
【図７】組立中の第２の実施の形態のパックの一部の斜視図である。
【図８】開放位置での、組み立てられた第２の実施の形態のパックの斜視図である。
【図９】選択的な内方フレームのためのブランクを示している。
【図１０】図９のブランクから形成される内方フレームの斜視図である。
【図１】
0003602444.tif 000002
【図２】
0003602444.tif 000003
【図４】
0003602444.tif 000004
【図３】
0003602444.tif 000005
【図９】
0003602444.tif 000006
【図５】
0003602444.tif 000007
【図６】
0003602444.tif 000008
【図８】
0003602444.tif 000009
【図７】
0003602444.tif 000010
【図１０】
0003602444.tif 000011